(57)【要約】【課題】水石けんを吐出させるためにノズルに手を差し出し、誤ってノズルの吐出口を手で塞ごうとした際、水石けんの噴き出しを防止し、快適な水石けん吐出装置を提供することを目的とする。【解決手段】  人体検知手段からの人体検知信号によりポンプを駆動してタンク内に貯留した水石けんを手洗器のボウル内部に向け通液路が穿設されたノズルから吐出する水石けん吐出装置において、前記ノズルの周囲方向に水石けんを逃がす逃がし穴を備えた構成としたことにより、吐出口を手の平で塞がれて僅かなすき間が発生しても、逃がし穴から水石けんが吐出されることにより、水石けんがそのすき間から予期せぬ方向に噴き出して衣服や顔などを汚すのを防止することができる。【選択図】  図１
2005246042.tif 000002
【特許請求の範囲】
【請求項１】
人体検知手段からの人体検知信号によりポンプを駆動してタンク内に貯留した水石けんを手洗器のボウル内部に向け通液路が穿設されたノズルから吐出する水石けん吐出装置において、前記ノズルの周囲方向に水石けんを逃がす逃がし穴を備えたことを特徴とする水石けん吐出装置。
【請求項２】
前記逃がし穴が通液路の径よりも小さい径であることを特徴とする請求項１記載の水石けん吐出装置。
【請求項３】
前記逃がし穴に一定の圧力で開放する逃がし弁を設けたことを特徴とする請求項１記載の水石けん吐出装置。
【請求項４】
前記逃がし穴が前記ノズルの通液路の出口に設けられた拡径部に設けたことを特徴とする請求項１記載の水石けん吐出装置。
【請求項５】
前記逃がし穴の出口からノズル後端部へ延設する溝を配設したことを特徴とする請求項４記載の水石けん吐出装置。
【請求項６】
人体検知手段からの人体検知信号によりポンプを駆動してタンク内に貯留した水石けんを手洗器のボウル内部に向け通液路が穿設されたノズルから吐出する水石けん吐出装置において、前記ノズルの吐出口より吐出方向前方に突出した突起部を設けたことを特徴とする水石けん吐出装置。
【請求項７】
前記突起部を前記ノズルと一体にて設けたことを特徴とする請求項６記載の水石けん吐出装置。
【請求項８】
前記突起部を前記ノズルと別体にて前記ノズルの通液路を貫通した棒状体としたことを特徴とする請求項６記載の水石けん吐出装置。
【請求項９】
前記突起部を前記ノズルの外周に別体にて設けたことを特徴とする請求項６記載の水石けん吐出装置。
【発明の詳細な説明】
【技術分野】
【０００１】
本発明は、人体検知手段により自動的に水石けんを吐出させる水石けん吐出装置に関する。
【背景技術】
【０００２】
従来の水石けん吐出装置は、人体検知手段からの人体検知信号によりポンプを駆動してタンク内の貯留した水石けんを手洗器のボウル内部に向け通液路が穿設されたノズルから吐出するものがある。（例えば、特許文献１参照。）
【０００３】
図１０は従来の一般的な水石けん吐出装置の全体構成を示すブロック図である。図１０に示すように、水石けん吐出装置Ａは、カウンター６０付の洗面器６１に設置され、使用者がスパウト６２のノズル６３の近傍に手を差し出すと、その手をノズル６３近傍に設置された人体検知手段６４により検出し、自動的に水石けんを洗面器６１に向けて吐出される装置である。図示しないが、この水石けん吐出装置Ａは、自動水栓や温風乾燥機と並設され、水石けんの吐出、手洗い用の湯又は水の吐水、濡れた手を乾燥するための温風と一連の手洗い動作ができるよう構成するものも既に提案されている。
【０００４】
また、カウンター６０の略下方には水石けんを貯留するためのタンク６５が設けられ、タンク６５には水石けんを移送するためのポンプ６６と、該ポンプ６６出口からノズル６３までを接続するための水石けんチューブ６７と、人体検知手段６４からの人体検知信号に基づいて、ポンプ６６の動作を制御する制御部６８と、該制御部６８と人体検知手段６４を接続するセンサーコード６９とから構成されている。
【０００５】
つまり、使用者がノズル６３の近傍に手を差し出すと、その手を人体検知手段６４より検出し、その人体検知信号が制御部６８に入力されて、ポンプ６６が駆動して水石けんが水石けんチューブ６７に送られ、ノズル６３から吐出される構成となっている。
【０００６】
図１１は特許文献１に示す水石けん吐出装置５０のノズル部を示す斜視図である。図１１に示すように、使用者が水石けんを使用するために水石けん供給装置５０に手を差し出したとすると水石けん装置側センサー５１が使用を感知し、図示しない制御部を介して空気供給手段を運転させると同時に開閉弁を開成させる。その結果、水石けんタンク内の圧力が高まり、水石けんが吐出口５２より吐出されることになる。
また、使用者が水を使用するために、吐水装置側に手を差し出したとすると吐水装置側センサー５３が使用を感知し、図示しない開閉弁を開成させる。その結果、空気混入部において空気が気泡の状態で水に混入され、吐水口５４から吐水されることになり、水跳ねのない非常にまろやかな吐水が実現できることになる。
【０００７】
【特許文献１】特開２００１−２５４４７号公報
【発明の開示】
【発明が解決しようとする課題】
【０００８】
このような従来の水石けん吐出装置５０を図１０に示すブロック図のよう構成した場合は、ノズル５２の近くに手を近づけると制御部６８が石けん装置側センサー５１からの人体検知信号によりポンプ６６を駆動させ、水石けんを吐出口５２から吐出させる。しかしながら、使用者が本装置を人体感知式だと気づかず、手動式の水石けん入れと勘違いして吐出口５２を押す行為を行うことがある。つまり、吐出口５２を押そうとすると使用者の手の平が吐出口５２を塞いでしまい、その吐出口５２の塞ぎ方が不完全で手の平との間に僅かなすき間があった場合、水石けん装置側センサー５１が手を検知し、ポンプ６６が駆動するため、その僅かなすき間から水石けんが出るのでかなりの勢いとなって噴き出す可能性があり、その場合は、顔や衣服に付着し使用者に不快感を与えるものであった。
【０００９】
本発明では上記の問題点を解決するためになされたもので、本発明の課題は水石けんを吐出させるためにノズルに手を差し出し、誤ってノズルの吐出口を手で塞ごうとした際、水石けんの噴き出しを防止し、快適な水石けん吐出装置を提供することを目的とする。
【課題を解決するための手段】
【００１０】
本発明の請求項１では、人体検知手段からの人体検知信号によりポンプを駆動してタンク内に貯留した水石けんを手洗器のボウル内部に向け通液路が穿設されたノズルから吐出する水石けん吐出装置において、前記ノズルの周囲方向に水石けんを逃がす逃がし穴を備えたことを特徴としている。
【００１１】
これにより、吐出口を手の平で塞がれて僅かなすき間が発生しても、逃がし穴から水石けんが吐出されることにより、水石けんがそのすき間から予期せぬ方向に噴き出して衣服や顔などを汚すのを防止することができる。
【００１２】
本発明の請求項２では、前記逃がし穴を通液路の径よりも小さい径であることを特徴としている。
【００１３】
これにより、吐出口を手の平で塞がれて僅かなすき間が発生しても、逃がし穴から水石けんが吐出されることにより、水石けんがそのすき間から噴き出して衣服や顔やボウルの外などを汚すのを防止することができ、前記逃がし穴を通液路の径よりも小さい径とすることで、通常水石けんが吐出するときに逃がし穴から水石けんが漏れ出る量を少なくすることができる。
【００１４】
本発明の請求項３では、前記逃がし穴に一定の圧力で開放する逃がし弁を設けたことを特徴としている。
【００１５】
これにより、吐出口を手の平で塞がれて僅かなすき間が発生しても、逃がし穴から水石けんが吐出されることにより、水石けんがそのすき間から噴き出して衣服や顔やボウルの外などを汚すのを防止することができ、吐出口を手の平で塞がれて僅かなすき間が発生しても逃がし弁が開いて水石けんが出るので、僅かなすき間から水石けんが噴出すことがなく、正常な使用状態のときは通液路が開放しているため、逃がし穴に設けた逃がし弁にはほとんど圧力がかからず、逃がし穴から水石けんが漏れ出ることを防止することができる。
【００１６】
本発明の請求項４では、前記逃がし穴が前記ノズルの通液路の出口に設けられた拡径部に設けたことを特徴としている。
【００１７】
これにより、正常な使用状態で吐出口を手の平で塞がないとき、水石けんの吐出中に逃がし穴から水石けんが漏れ出ることがなく、ノズルを塞いだときに初めて逃がし穴から水石けんがでるため、水石けんの無駄が少ない。
【００１８】
本発明の請求項５では、前記逃がし穴の出口からノズル後端部へ延設する溝を配設したことを特徴としている。
【００１９】
これにより、吐出口を手の平で塞がれて僅かなすき間が発生しても、逃がし穴から後方に延設した溝によって、使用者に向かう吐出口から離れる方向へ導かれて水石けんが吐出されることにより、水石けんがそのすき間から予期せぬ方向に噴き出して衣服や顔などを汚すのをより一層効果的に防止することができる。
【００２０】
本発明の請求項６では、人体検知手段からの人体検知信号によりポンプを駆動してタンク内に貯留した水石けんを手洗器のボウル内部に向け通液路が穿設されたノズルから吐出する水石けん吐出装置において、前記ノズルの吐出口より吐出方向前方に突出した突起部を設けたことを特徴としている。
【００２１】
これにより、吐出口を手の平で塞ごうとしてもノズルの吐出口より吐出方向前方に突出した突起部によって吐出口と手の間に大きなすき間ができるため、そのすき間から水石けんがノズルの周囲に飛散することになるため、使用者の衣服や顔に向かって噴き出すことがない。
【００２２】
本発明の請求項７では、前記突起部を前記ノズルと一体にて設けたことを特徴としている。
【００２３】
これにより、吐出口を手の平で塞ごうとしても前記ノズルの吐出口より吐出方向前方に突出した前記ノズルと一体に設けられた突起部によって吐出口と手の間に大きなすき間ができるため、そのすき間から水石けんがノズルの周囲に飛散することになるため、使用者の衣服や顔に向かって噴き出すことがない。
【００２４】
本発明の請求項８では、前記突起部を前記ノズルと別体にて前記ノズルの通液路を貫通した棒状体としたことを特徴としている。
【００２５】
これにより、吐出口を塞ごうとしても前記棒状体が手の平に当たり、吐出口と手の平との間に大きなすき間ができるため、そのすき間から水石けんが噴出すことがなく、前記棒状体はノズルと別体であり従来のノズルをそのまま流用することができるため、安価で実現することができる。
【００２６】
本発明の請求項９では、前記突起部を前記ノズルの外周に別体にて設けたことを特徴としている。
【００２７】
これにより、吐出口を塞ごうとしても側壁に手の平が当たり、吐出口と手の間に大きなすき間ができるため、そのすき間から水石けんが噴出すことがなく、側壁がノズルと別体であり従来のノズルをそのまま流用することができるため、安価で実現することができる。
【発明の効果】
【００２８】
以上のように水石けん吐出装置のノズル部分を構成することで、吐出口を手の平で塞がれて僅かなすき間が発生しても、ボウル内部を向いた逃がし穴から水石けんが吐出されることにより、水石けんがそのすき間から噴き出して衣服や顔やボウルの外などを汚すのを防止することができる。
【発明を実施するための最良の形態】
【００２９】
以下に図面を参照して本発明をより具体的に説明する。尚、本発明に係わる水石けん吐出装置の駆動構造は、一般的な水石けん吐出装置の全体構成を示すブロック図である図１０の構成と同じであるので、説明は省略する。
【００３０】
図１は本発明に係る水石けん吐出装置の第１の実施例を示す部分拡大図である。図１に示すように、本発明の水石けん吐出装置Ｂは金属製の本体３０を湾曲状に構成して成り、その内部に水石けんを吐出するノズル１を内包している。ノズル１は、その先端部に水石けんを吐出する小径の通液路２を開口した吐出口４を備え、その上流側は円錐状に拡径するよう構成されている。ノズル１は金属或いはポリアセタール等の樹脂でも構わないが、双方共、耐薬品性を有するものが好ましく、本実施例において、ノズル１は金属製であり、外表面にＮｉ−Ｃｒめっき処理を施している。
ノズル１はその後端部３１に継手３２を介し、Ｏリング４３にて密接に接続されている。継手３２は、下流側に石けん水を貯留するための液溜り部３３を備え、その上流側にはノズル１の通液路２より若干大径の通液路３４を備え、上流側はチューブ３５と接続されている。
チューブ３５と継手３２とは、継手３２の上流側に具備する接続部３６とで接続されており、その形状はたけのこ状である。図１に示すチューブ３５はナイロン或いはポリプロピレン等の耐薬品性を有する樹脂が好ましい。
【００３１】
さらに、継手３２の上部には人の手を感知するセンサー３７が載置され、該センサー３７はコード３８、さらにコード外皮部材３９に接続される構成となっている。ここで、コード外皮部材３９は図示しない制御部へ連通するコード類を纏めるようにしたものである。また、本体３０の下部には本体３０と継手３２とをビス４０にて固定するため、その開口部に雌ネジ加工されており、ビス４０の根元が挿通される嵌合部４１が配設されている。
【００３２】
図１のように水石けん吐出装置Ｂを構成することで、使用者が水石けんを出そうという場合、まず、センサー３７に手を近づけ、ノズル１の先端に開口された吐出口４から石けん水を供給することが可能になる。
【００３３】
さらに、本発明においては、図１に示すようにノズル１に通液路２の径よりも小さい径で通液路２とは別方向、つまりノズル１の外周方向に水石けんが飛散されるように逃がし穴３を設けたものである。
このとき、逃がし穴３の方向は手洗い器のボウル内部を向いていた方が望ましい。
【００３４】
このように構成すれば、吐出口４を手で塞がれて僅かなすき間が発生しても手洗器のボウル内部を向いた逃がし穴３から水石けんが吐出されることにより、水石けんが手と吐出口４とのすき間から噴き出して衣服や顔やボウルの外などを汚すのを防止することができる。
【００３５】
図２は本発明に係る水石けん吐出装置の第２の実施例を示す部分断面図である。図１と構成が同じ部分については同符号を付し、説明は省略することにする。
【００３６】
図２は第二の実施例を示したものであり、図２に示すようにノズル５の周囲方向に逃がし穴６を穿設し、逃がし穴６に一定の圧力で開放する逃がし弁７を設けたものである。
このとき、逃がし穴６の方向は第一の実施例と同様に手洗い器のボウル内部を向いていた方が望ましい。
逃がし弁７は、円筒形あるいは円柱形状を呈しており、その内側にバネを配置し、上流側にはケーシングの開口部を押圧、閉止することが可能なボール又はプレート状の閉止部材を配置している。しかも、バネは通常の水石けん吐出時の閉止部材にかかる荷重よりも強いものを選択している。すなわち、吐出口９が塞がれて、閉止部材に所定以上の荷重がかかると、バネが圧縮し、逃がし弁７の下流側となるノズル５の逃がし穴６から水石けんが吐出されるよう構成されている。
【００３７】
このように構成すれば、吐出口９を手の平で塞がれて僅かなすき間が発生しても逃がし弁７が開いて水石けんが出るため、手の平と吐出口９との僅かなすき間から水石けんが噴出すことがなく、正常な使用状態、すなわち吐出口９を塞がないようにノズル５に手を差し出したときは通液路８が開放されているため、逃がし弁７にはほとんど圧力がかからず、逃がし穴６から水石けんが漏れ出ることを防止することができる。
【００３８】
図３は本発明に係る水石けん吐出装置の第３の実施例を示す部分断面図である。
【００３９】
図３に示すようにノズル１０の通液路１１の出口に拡径部１２を設け、拡径部１２にノズル１０の周囲方向に向いた逃がし穴１３を設けたものである。
このとき、逃がし穴１３の方向は第一の実施例と同様に手洗い器のボウル内部を向いていた方が望ましい。
【００４０】
このような構成にすれば、正常な使用状態で吐出口１４を手で塞がないときには、水石けんの出口は通液路１１の出口となり、水石けんの吐出の勢いにより拡径部１２の側壁には水石けんがかからないため、逃がし穴１３から漏れ出ることがなく、吐出口１４を塞いだときに初めて逃がし穴１３から水石けんがでるため、水石けんの無駄が少ない。
【００４１】
図４、図５は、本発明に係る水石けん吐出装置のノズルにおけるノズルの周囲方向に水石けんを逃がす逃がし穴のその他の実施例であり、図４は、逃がし穴をスリット状としたもので、図５は、逃がし穴をノズルの先端の一部を切り欠き状としたものである。
【００４２】
図４に示すように、ノズル１００は、その先端部に水石けんを吐出する小径の通液路２を開口した吐出口４を備え、ノズル１００の先端部から３〜５ｍｍの深さで通液路２とノズル外部が繋がるようなスリット状の逃がし穴１０１を設けた。
このとき、逃がし穴１０１の方向は手洗い器のボウル内部を向いていた方が望ましい。
【００４３】
このように構成すれば、吐出口４を手で塞がれて僅かなすき間が発生しても手洗器のボウル内部を向いた逃がし穴１０１から水石けんが吐出されることにより、水石けんが手と吐出口４とのすき間から噴き出して衣服や顔やボウルの外などを汚すのを防止することができる。
【００４４】
図５に示すように、ノズル１１０は、その先端部に水石けんを吐出する小径の通液路２を開口した吐出口４を備え、ノズル１１０の先端部から３〜５ｍｍにおいてノズルの半分を切除した切欠き状の逃がし穴１１１を設けた。
このとき、逃がし穴１１１の方向は手洗い器のボウル内部を向いていた方が望ましい。
【００４５】
このように構成すれば、吐出口４を手で塞がれて僅かなすき間が発生しても手洗器のボウル内部を向いた逃がし穴１１１から水石けんが吐出されることにより、水石けんが手と吐出口４とのすき間から噴き出して衣服や顔やボウルの外などを汚すのを防止することができる。
【００４６】
図６は本発明に係る水石けん吐出装置の第４の実施例を示す部分断面図で、図７は、図６のノズル部分の斜視図である。
【００４７】
図６、図７に示すように、ノズル１５の先端部ａに吐出口１６より吐出方向前方に突出した突起１７を設けたものである。
【００４８】
このように構成すれば、吐出口１６を手の平で塞ごうとしても、水石けんはノズル１５の先端部ａに設けられた突起１７に当たり、吐出口１６と手の平との間に大きなすき間（距離）ができるため、そのすき間から水石けんがノズル１５の周囲に飛散することになるため、使用者の衣服や顔に向かって噴き出すことがない。
【００４９】
図８は本発明に係る水石けん吐出装置の第５の実施例を示す部分断面図である。
【００５０】
図８に示すように、ノズル１８に穿設された通液路１９を貫通し吐出口２０より突出させた棒状体２１を設けたものである。棒状体２１は継手３２の下流側に設けられた液溜り部３３に内嵌される内嵌部４２を備えた構造となっている。
【００５１】
このように構成すれば、吐出口２０を手で塞ごうとしても棒状体２１が手に当たり、吐出口２０と手の間に大きなすき間ができるため、そのすき間から水石けんが噴出すことがなく、さらに棒状体２１はノズル１８と別体であり従来のノズルをそのまま流用することができるため、安価で実現することができる。
【００５２】
図９は本発明に係る水石けん吐出装置の第６の実施例を示す部分断面図である。
【００５３】
図９に示すように、ノズル２２の外周を吐出口２３より吐出方向前方まで突出した側壁２４を設けたものである。
【００５４】
このように構成すれば、吐出口２３を手で塞ごうとしても側壁２４に手が当たり、吐出口２３と手の間に大きなすき間（距離）ができるため、そのすき間から水石けんが噴出すことがなく、側壁２４はノズル２２と別体であり従来のノズルをそのまま流用することができるため、安価で実現することができる。本実施例では、ノズル２２の外周を側壁２４で囲っているが、顔や、衣服に水石けんが付着しないようにすればよく例えば、突起状や、ノズルの外周の一部を囲う構造でもよい。
【００５５】
図１２は本発明に係る水石けん吐出装置の第７の実施例を示す部分断面図である。（ａ）は側断面を示し、（ｂ）はノズルの底面図である。図１２（ａ）に示すようにノズル５０の周囲方向に逃がし穴５２を穿設し、さらに逃がし穴５２の出口付近からノズル５０の後端部３１へ向けて溝５３が延設するよう配設されている。また、図１２（ｂ）に示すように、溝５３の形状は一定の深さ、約２ｍｍ程度で、略長方矩形状となるよう加工が施されている。
このとき、逃がし穴５２の方向は他の実施例と同様に手洗い器のボウル内部を向いていた方が望ましい。
【００５６】
このように構成すれば、吐出口５１を手の平で塞がれて僅かなすき間が発生しても水石けんは逃がし穴５２を通じて溝５３から吐出するため、手の平と吐出口５１との僅かなすき間から水石けんが噴出すことがなく、衣服や顔やボウルの外などを汚すのを防止することができる。なお、溝５３はノズル５０の後端部３１へ向かって延びているため、逃がし穴５２から吐出した水石けんは、この溝５３によって使用者から離れる方向に導かれるため、使用者に向けた飛び散りを一層効果的に防止できる。しかも、溝５３はのノズル５０の前後方向に長く形成されており、この溝５３の窪んだ位置に逃がし穴５２が設けられているため、使用者の指が逃がし穴５２近傍のノズルに接したとしても、逃がし穴５２及び溝部５２全体が塞がれてしまい、この逃がし流路が機能しなくなることを防いでいる。
【００５７】
図１３は本発明に係る水石けん吐出装置の第８の実施例を示す部分断面図である。ノズル７０先端の吐出口７１部分からノズル７０後方に向かい逃がし穴７２が穿設され、さらに、ノズル７０の外周と連接するよう溝７３が配設されている。
このとき、溝７３の方向は他の実施例と同様に手洗い器のボウル内部を向いていた方が望ましい。
【００５８】
図１４は第８の実施の形態において溝７３を指で塞いだ状態をを示す部分断面図である。使用者が水石けんを出そうとして吐水口７１付近に手の平を近づけ、指が吐水口７１後方に配設された溝７３に当接した状態を示している。この図１４に示すように、指が溝７３のに当接したとしても、後方に向かって開口している逃がし穴７２は指で塞がれることは無く、また、溝７３はノズル７３の前後方向に長く形成されているため指との間に隙間を生じせしめることができる。従って、このように指が溝７３に当接した状態で吐出口７１を手の平で塞がれて僅かなすき間が発生しても、水石けんは逃がし穴７２を通じて指と溝７３との僅かなすき間から吐出するため、手の平と吐出口７１との僅かなすき間から水石けんが噴出すことがなく、衣服や顔やボウルの外などを汚すのを防止することができる。
【図面の簡単な説明】
【００５９】
【図１】本件発明における第１の実施の形態を示す部分断面図である。
【図２】本件発明における第２の実施の形態を示す部分断面図である。
【図３】本件発明における第３の実施の形態を示す部分断面図である。
【図４】本発明に係る水石けん吐出装置のノズルの逃がし穴をスリット状とした図である。
【図５】本発明に係る水石けん吐出装置のノズルの逃がし穴を切欠き状とした図である。
【図６】本件発明における第４の実施の形態を示す部分断面図である。
【図７】図６のノズル部分の斜視図
【図８】本件発明における第５の実施の形態を示す部分断面図である。
【図９】本件発明における第６の実施の形態を示す部分断面図である。
【図１０】従来の水石けん吐出装置の全体構成を示すブロック図である。
【図１１】従来の水石けん吐出装置のノズル部分を示す斜視図である。
【図１２】本件発明における第７の実施の形態を示す部分断面図である。
【図１３】本件発明における第８の実施の形態を示す部分断面図である。
【図１４】本件発明における第８の実施の形態において溝を指で塞いだ状態をを示す部分断面図である。
【符号の説明】
【００６０】
１…ノズル
２…通液路
３…逃がし穴
４…吐出口
５…ノズル
６…逃がし穴
７…逃がし弁
８…通液路
９…吐出口
１０…ノズル
１１…逃がし穴
１２…拡径部
１３…逃がし穴
１４…吐出口
１５…ノズル
１６…吐出口
１７…突起
１８…ノズル
１９…通液路
２０…吐出口
２１…棒状体
２２…ノズル
２３…吐出口
２４…側壁
１００…ノズル
１０１…逃がし穴
１１０…ノズル
１１１…逃がし穴
【図１】
2005246042.tif 000003
【図２】
2005246042.tif 000004
【図３】
2005246042.tif 000005
【図４】
2005246042.tif 000006
【図５】
2005246042.tif 000007
【図６】
2005246042.tif 000008
【図７】
2005246042.tif 000009
【図８】
2005246042.tif 000010
【図９】
2005246042.tif 000011
【図１０】
2005246042.tif 000012
【図１１】
2005246042.tif 000013
【図１２】
2005246042.tif 000014
【図１３】
2005246042.tif 000015
【図１４】
2005246042.tif 000016